(57)【特許請求の範囲】
【請求項１】
不透明材料からなり、錠剤が収容されるポケット部を有する包装用フィルムと、
不透明材料からなり、前記ポケット部を塞ぐように前記包装用フィルムに取着されたカバーフィルムと
を備えるＰＴＰシートであって、
前記錠剤の大きさに関する情報を表示するサイズ表示部を備え、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシート。
【請求項２】
前記包装用フィルムは、アルミニウムを主材料として形成されたものであることを特徴とする請求項１に記載のＰＴＰシート。
【請求項３】
前記サイズ表示部は、前記包装用フィルムに設けられることを特徴とする請求項１又は２に記載のＰＴＰシート。
【請求項４】
前記サイズ表示部は、前記包装用フィルムのうち前記ポケット部を形成する部位に設けられることを特徴とする請求項３に記載のＰＴＰシート。
【請求項５】
前記サイズ表示部は、前記包装用フィルムのうち前記ポケット部を形成する部位の中央に設けられることを特徴とする請求項３又は４に記載のＰＴＰシート。
【請求項６】
前記サイズ表示部は、前記カバーフィルムのうち前記ポケット部を塞ぐ部位に設けられることを特徴とする請求項１乃至５のいずれか１項に記載のＰＴＰシート。
【請求項７】
所定のポケット部単位のシート小片に切離し可能とするミシン目を有し、
前記サイズ表示部は、前記ミシン目からオフセットした位置に、前記シート小片ごとに設けられることを特徴とする請求項１乃至６のいずれか１項に記載のＰＴＰシート。
【請求項８】
不透明材料からなり、錠剤が収容されるポケット部を有する包装用フィルムと、
不透明材料からなり、前記ポケット部を塞ぐように前記包装用フィルムに取着されたカバーフィルムと、
前記カバーフィルムに設けられ、前記錠剤の大きさに関する情報を表示するサイズ表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記包装用フィルムに対する前記カバーフィルムの取着前に、前記カバーフィルムに前記サイズ表示部を印刷形成する印刷手段と
を具備し、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシートの製造装置。
【請求項９】
不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の大きさに関する情報を表示するサイズ表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記ポケット部形成手段による前記ポケット部の形成前に、前記包装用フィルムに前記サイズ表示部を印刷形成する印刷手段と
を具備し、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシートの製造装置。
【請求項１０】
不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の大きさに関する情報を表示するサイズ表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記カバーフィルムが取着された前記包装用フィルムを、ＰＴＰシート単位に打抜く打抜き手段と、
前記取着手段による前記カバーフィルムの取着後、前記打抜き手段による前記包装用フィルムの打抜き前に、前記包装用フィルムに前記サイズ表示部を印刷形成する印刷手段と
を具備し、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシートの製造装置。
【発明の詳細な説明】
【技術分野】
【０００１】
本発明は、錠剤を包装するためのブリスタ包装用シート（以下、「ＰＴＰシート」という）及びその製造装置に関する。
【背景技術】
【０００２】
ＰＴＰシートは、錠剤を収容するためのポケット部が形成された包装用フィルムと、ポケット部の開口側を密封するように包装用フィルムに取着されるカバーフィルムとから構成されている。また、一般に包装用フィルムは透明な樹脂等によって形成され、カバーフィルムはアルミニウム等の不透明材料で形成される。
【０００３】
さらに近年では、遮光性や防湿性の向上を図るという観点から、包装用フィルムをアルミニウム等の不透明材料によって形成する技術が提案されている（例えば、特許文献１参照）。
【先行技術文献】
【特許文献】
【０００４】
【特許文献１】特開２００７−１１８９７８号公報
【発明の概要】
【発明が解決しようとする課題】
【０００５】
ところで、上記のように包装用フィルム及びカバーフィルムの双方が不透明材料により形成されたＰＴＰシートにおいては、外部から、その内部に収容された錠剤の大きさを認識することができない。そこで、錠剤を服用する者等の多くは、ポケット部よりも若干小さい程度の錠剤がＰＴＰシートに収容されているものと考え、ＰＴＰシートから錠剤を取り出そうとする。しかしながら、ポケット部のサイズは、必ずしも錠剤のサイズに対応したものとはされず、ポケット部のサイズに対して錠剤のサイズが過度に小さいことがあり得る。このような場合には、錠剤のサイズが想定のサイズとは著しく異なり、予期しないサイズの錠剤が取り出されることとなる。そのため、錠剤を誤って落としてしまう等、錠剤の取扱いに不都合が生じてしまうおそれがある。
【０００６】
本発明は、上記事情を鑑みてなされたものであり、その目的は、包装用フィルム及びカバーフィルムがそれぞれ不透明材料により形成され、収容されている錠剤が視認不能であっても、外部から錠剤の大きさを認識可能とし、錠剤のサイズが想定と異なることに起因する不都合の発生をより確実に防止することができるＰＴＰシート及びその製造装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．不透明材料からなり、錠剤が収容されるポケット部を有する包装用フィルムと、
不透明材料からなり、前記ポケット部を塞ぐように前記包装用フィルムに取着されたカバーフィルムと
を備えるＰＴＰシートであって、
前記錠剤の大きさに関する情報を表示するサイズ表示部を備え、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシート。
【０００９】
上記手段１によれば、包装用フィルム及びカバーフィルムの双方は、不透明材料により形成されている。従って、遮光性や防湿性の向上を図ることができる一方で、外部からＰＴＰシートに収容されている錠剤の大きさを把握することが難しい。
【００１０】
この点、上記手段１によれば、ＰＴＰシートには、錠剤の大きさに関する情報を表示するサイズ表示部が設けられている。従って、ＰＴＰシートに収容されている錠剤の大きさ（サイズ）を外部から認識することができる。これにより、ＰＴＰシートに収容された錠剤のサイズを正確に想定することができ、想定の誤りによる不都合の発生をより確実に防止することができる。
【００１１】
また、サイズ表示部が、錠剤の外観を示す写真や絵により構成されており、サイズ表示部において示される錠剤の大きさは、ＰＴＰシートに収容されている錠剤の大きさと同一とされている。従って、錠剤のサイズを一目で容易に認識することができる。
【００１２】
ところで、包装用フィルム及びカバーフィルムの双方が不透明材料により形成されている場合には、複数のＰＴＰシートからそれぞれ錠剤を取り出した後に、ある錠剤がどのＰＴＰシートから取り出されたものであるかを確認することができないおそれがある。
【００１３】
この点、上記手段１によれば、錠剤に関する知識等に乏しい者であっても、サイズ表示部に基づいて、取り出された錠剤と、ＰＴＰシートに収容されている錠剤とが一致しているか否かを容易に確認することができる。その結果、本来服用すべき錠剤と異なる錠剤を誤って服用してしまう等の事態をより確実に防止することができる。
【００１４】
また、ＰＴＰシートに対して、本来収容されるべき錠剤とは異なる錠剤が誤って収容されている場合には、サイズ表示部に基づいて、誤った錠剤が収容されていることを認識することができる。その結果、誤った錠剤の服用を一層確実に防止することができる。
【００１５】
手段２．前記包装用フィルムは、アルミニウムを主材料として形成されたものであることを特徴とする手段１に記載のＰＴＰシート。
【００１６】
尚、「アルミニウムを主材料として形成された」とは、アルミニウム単体から構成されていてもよいし、複層構造を有するラミネートフィルムで構成されていてもよいという趣旨である。
【００１７】
上記手段２のように、包装用フィルムがアルミニウムを主材料として形成されたものである場合には、包装用フィルム成形時の破損を防止するために、ポケット部の面積（開口面積）が比較的大きなものとされることが多い。従って、このような包装用フィルムを用いる場合には、ポケット部のサイズに対して錠剤のサイズが過度に小さなものとなってしまいやすく、錠剤のサイズが想定と異なるという事態をより招いてしまいやすい。
【００１８】
この点、上記手段１等によれば、錠剤のサイズを正確に想定することができるため、包装用フィルムがアルミニウムを主材料とし、ポケット部が比較的大きな面積となりやすい場合であっても、想定の誤りに伴う不都合の発生をより確実に防止することができる。換言すれば、上記手段１等は、包装用フィルムがアルミニウムを主材料とする場合において、特に有意である。
【００１９】
手段３．前記サイズ表示部は、前記包装用フィルムに設けられることを特徴とする手段１又は２に記載のＰＴＰシート。
【００２０】
錠剤を取り出す際に、カバーフィルムは破られ、包装用フィルムから分離（破棄）されることとなる。そのため、カバーフィルム（特に、ポケット部を塞ぐ複数の部位のうちの一部のみ）に錠剤表示部を設けた場合には、ＰＴＰシート内に錠剤が存在するにも関わらず、ＰＴＰシートにサイズ表示部が存在しないといった事態が生じ得る。これに対して、包装用フィルムは、ＰＴＰシート内の錠剤が全て使用されるまで破棄されることなく利用されることが多い。
【００２１】
この点を考慮して、上記手段３によれば、サイズ表示部が包装用フィルムに設けられている。そのため、ＰＴＰシートにサイズ表示部が存在しないといった事態をより生じにくくすることができ、サイズ表示部の機能をより確実に発揮させることができる。
【００２２】
手段４．前記サイズ表示部は、前記包装用フィルムのうち前記ポケット部を形成する部位に設けられることを特徴とする手段３に記載のＰＴＰシート。
【００２３】
一般に錠剤の取り出しは、ポケット部を押すことにより行われるため、錠剤を服用する者等は、錠剤を取り出す際に、ポケット部に着目しやすい。従って、上記手段４のように、サイズ表示部を包装用フィルムのうちポケット部を形成する部位に設けておくことで、錠剤を服用する者等に、サイズ表示部の存在をより確実に認識させることができる。その結果、サイズ表示部の機能が有効的に利用されることとなる。
【００２４】
手段５．前記サイズ表示部は、前記包装用フィルムのうち前記ポケット部を形成する部位の中央に設けられることを特徴とする手段３又は４に記載のＰＴＰシート。
【００２５】
上記手段５によれば、サイズ表示部が、包装用フィルムのうちポケット部を形成する部位の中央に設けられている。従って、ポケット部のサイズに対して錠剤のサイズが小さい場合でも、サイズ表示部を目印として、これを押すことで、ＰＴＰシートから錠剤をより確実に取り出すことができる。また、錠剤を服用する者等に、サイズ表示部の存在をより一層確実に認識させることができる。
【００２６】
手段６．前記サイズ表示部は、前記カバーフィルムのうち前記ポケット部を塞ぐ部位に設けられることを特徴とする手段１乃至５のいずれかに記載のＰＴＰシート。
【００２７】
錠剤を服用する者等は、錠剤を取り出す際に、ポケット部に加えて、カバーフィルムのうちポケット部を塞ぐ部位（錠剤が取り出される部位）にも着目しやすい。従って、上記手段６のように、サイズ表示部をカバーフィルムのうちポケット部を塞ぐ部位に設けておくことで、錠剤を服用する者等に、サイズ表示部の存在をより一層確実に認識させることができる。その結果、サイズ表示部の機能が有効的に利用されることとなる。
【００２８】
手段７．所定のポケット部単位のシート小片に切離し可能とするミシン目を有し、
前記サイズ表示部は、前記ミシン目からオフセットした位置に、前記シート小片ごとに設けられることを特徴とする手段１乃至６のいずれかに記載のＰＴＰシート。
【００２９】
尚、「ミシン目」とは、ＰＴＰシートを貫通した切込みが断続的に並んでなる切離し線を意味する。
【００３０】
利便性を考慮して、ＰＴＰシートには、これをポケット部単位のシート小片に切離し可能とするミシン目が設けられることがある。しかしながら、ミシン目上にサイズ表示部が存在していると、ＰＴＰシートをシート小片に切離した場合、シート小片においてサイズ表示部の一部しか確認することができず、ひいてはサイズ表示部の機能が十分に発揮されないおそれがある。
【００３１】
この点、上記手段７によれば、サイズ表示部は、ミシン目からオフセットした位置（ずれた位置）に設けられている。従って、ＰＴＰシートをシート小片に切離したとしても、シート小片においてサイズ表示部の全体を確認することができる。その結果、サイズ表示部の機能をより一層確実に発揮させることができる。
【００３２】
手段８．不透明材料からなり、錠剤が収容されるポケット部を有する包装用フィルムと、
不透明材料からなり、前記ポケット部を塞ぐように前記包装用フィルムに取着されたカバーフィルムと、
前記カバーフィルムに設けられ、前記錠剤の大きさに関する情報を表示するサイズ表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記包装用フィルムに対する前記カバーフィルムの取着前に、前記カバーフィルムに前記サイズ表示部を印刷形成する印刷手段と
を具備し、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシートの製造装置。
【００３３】
上記手段８によれば、包装用フィルムへの取着前のカバーフィルムに対して、サイズ表示部が印刷形成されるように構成されている。従って、カバーフィルムに対して、サイズ表示部をより確実に、かつ、良好な印刷品質で印刷することができる。
【００３４】
手段９．不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の大きさに関する情報を表示するサイズ表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記ポケット部形成手段による前記ポケット部の形成前に、前記包装用フィルムに前記サイズ表示部を印刷形成する印刷手段と
を具備し、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシートの製造装置。
【００３５】
上記手段９によれば、ポケット部形成前の包装用フィルムに対してサイズ表示部が印刷形成される。従って、ポケット部が印刷手段に干渉することに伴う、印刷不良の発生を防止することができる。
【００３６】
また、ポケット部形成後の包装用フィルムには多少のうねりが生じ得るため、ポケット部形成手段の下流に印刷手段を設けた場合には、包装用フィルムと印刷手段との間の距離が不安定となることが懸念されるが、上記手段９によれば、このような懸念を払拭することができ、良好な印刷品質を実現することができる。
【００３７】
手段１０．不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の大きさに関する情報を表示するサイズ表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記カバーフィルムが取着された前記包装用フィルムを、ＰＴＰシート単位に打抜く打抜き手段と、
前記取着手段による前記カバーフィルムの取着後、前記打抜き手段による前記包装用フィルムの打抜き前に、前記包装用フィルムに前記サイズ表示部を印刷形成する印刷手段と
を具備し、
前記サイズ表示部は、前記錠剤の外観を示す写真、及び、絵のうちの少なくとも一方が印刷されてなるものであり、
前記サイズ表示部において示される前記錠剤の大きさが、前記ＰＴＰシートに収容される前記錠剤の大きさと同一とされることを特徴とするＰＴＰシートの製造装置。
【００３８】
ポケット部の形成時やカバーフィルムの取着時において、サイズ表示部に損傷が生じ得る点を考慮して、上記手段１０によれば、ポケット部を形成し、カバーフィルムを取着した後に、包装用フィルムに対してサイズ表示部が印刷形成されるように構成されている。従って、サイズ表示部の損傷を防止することができ、良好な印刷品質を実現することができる。
【図面の簡単な説明】
【００３９】
【図１】（ａ）は、ＰＴＰシートを示す斜視図であり、（ｂ）は、ポケット部に収容された錠剤等を示す部分拡大断面図である。
【図２】（ａ）は、ＰＴＰシートの表面の構成を示す正面図であり、（ｂ）は、ＰＴＰシートの裏面の構成を示す背面図である。
【図３】ＰＴＰ包装機の構成を示す模式図である。
【図４】（ａ），（ｂ）は、別の実施形態におけるサイズ表示部の構成を示す部分拡大正面図である。
【図５】（ａ），（ｂ）は、別の実施形態におけるサイズ表示部の構成を示す斜視図である。
【図６】別の実施形態における第１の型及び第２の型の構成を示す断面模式図である。
【発明を実施するための形態】
【００４０】
以下に、一実施形態について図面を参照しつつ説明する。
【００４１】
図１（ａ），（ｂ）に示すように、ＰＴＰシート１は、凹状をなす複数のポケット部２を備えた包装用フィルム３と、ポケット部２を塞ぐようにして包装用フィルム３に取着されたカバーフィルム４とを備えている。さらに、ポケット部２には、錠剤５が１つずつ収容されている。
【００４２】
尚、本実施形態においては、ポケット部２の大きさに対して、錠剤５の大きさがそれぞれ非常に小さなものとされている（例えば、ポケット部２の直径が１４ｍｍ程度に対して、錠剤５の直径が６ｍｍ程度となっている）。そのため、所定の投影方向に沿って、当該投影方向と直交する平面に錠剤５を投影した際における錠剤５の投影領域の面積が、ポケット部２の開口面積よりも極端に小さなもの（例えば、開口面積に対して投影領域の面積が１／４以下と）されている。
【００４３】
さらに、包装用フィルム３には、例えば２つのポケット部２が含まれたペア小片７（シート小片に相当する）へと容易に切離すことができるように、シート横方向に沿って複数のミシン目６が形成されている。
【００４４】
また、本実施形態において、包装用フィルム３は、不透明材料（例えば、アルミニウムや、アルミニウムに樹脂被膜等がラミネートされ複層構造を有するもの等）により形成されており、不透明な外観を呈している。さらに、カバーフィルム４は、包装用フィルム３と同様に、不透明材料〔例えば、ＰＰ（ポリプロピレン）等よりなるシーラントが塗布されたアルミニウム箔等〕により形成されており、不透明な外観を呈している。そして、包装用フィルム３及びカバーフィルム４がそれぞれ不透明であることから、ポケット部２に収容された錠剤５は、外部から視認不能となっている。
【００４５】
加えて、本実施形態では、図２（ａ），（ｂ）に示すように、包装用フィルム３及びカバーフィルム４のうち外部から視認可能な位置にサイズ表示部１１が設けられている。サイズ表示部１１は、錠剤５の大きさに関する情報を表示するものであり、錠剤５の外観を示す写真（錠剤５の外観を示す絵であってもよい）が印刷されることで形成されている。
【００４６】
さらに、サイズ表示部１１は、包装用フィルム３に設けられた表側サイズ表示部１２と、カバーフィルム４に設けられた裏側サイズ表示部１３とを備えている。
【００４７】
表側サイズ表示部１２は、錠剤５をその表側から視認したときにおける錠剤５の外観を示す写真が印刷されることで形成されている。また、表側サイズ表示部１２は、包装用フィルム３のうちポケット部２を形成する部位の中央のそれぞれに設けられており、結果として、前記ミシン目６からオフセット位置に配置されている。
【００４８】
加えて、表側サイズ表示部１２において示される錠剤の大きさは、錠剤５をその表側から視認したときにおける錠剤５の大きさ（より詳しくは、錠剤５の表側を前記視認方向に沿って前記視認方向と直交する平面に投影したときにおける、投影された錠剤５の大きさ）と同一とされている。
【００４９】
裏側サイズ表示部１３は、錠剤５をその裏側から視認したときにおける錠剤５の外観を示す写真が印刷されることで形成されている。また、裏側サイズ表示部１３は、カバーフィルム４のうちポケット部２の開口を塞ぐ部位の中央にそれぞれ設けられており、結果として、前記ミシン目６からオフセット位置に配置されている。
【００５０】
加えて、裏側サイズ表示部１３において示される錠剤の大きさは、錠剤５をその裏側から視認したときにおける錠剤５の大きさ（より詳しくは、錠剤５の裏側を前記視認方向に沿って前記視認方向と直交する平面に投影したときにおける、投影された錠剤５の大きさ）と同一とされている。尚、表側表示部１２や裏側表示部１３における錠剤の大きさは、錠剤５の大きさと厳密に同一とする必要はなく、微々たる違いがあってもよい。
【００５１】
次に、図３に基づいて、上記ＰＴＰシート１を製造するためのＰＴＰシートの製造装置としてのＰＴＰ包装機２０の概略構成について説明する。
【００５２】
図３に示すように、ＰＴＰ包装機２０の最上流側には、帯状の包装用フィルム３がロール状に巻回されている。そして、ロール状に巻回された包装用フィルム３は、間欠的に搬送されるようになっており、包装用フィルム３の搬送経路に沿って、第１印刷手段２１が設けられている。第１印刷手段２１により、包装用フィルム３のうちポケット部２の形成予定位置の中央に前記表側サイズ表示部１２が印刷形成される。尚、第１印刷手段２１は、例えば、凸版印刷機、フレキソ印刷機、オフセット印刷機、又は、インクジェット印刷機等により構成されている。
【００５３】
加えて、本実施形態では、表側サイズ表示部１２として印刷される、錠剤５をその表側から視認したときの錠剤５の大きさや形状を示すデータが予め取得されており、当該データに基づいて、第１印刷手段２１の設定が行われる。また、包装用フィルム３に予め設けられたマーク（図示せず）を、所定のセンサー（図示せず）により検知することで、ポケット部２の形成予定位置が検出され、当該形成予定位置の中央に対して表側サイズ表示部１２が印刷形成される。
【００５４】
包装用フィルム３の搬送経路に沿って、第１印刷手段２１の下流側には、ポケット部形成手段２２が設けられている。ポケット部形成手段２２は、第１の型２３及び第２の型２４を備えており、第１の型２３には、ポケット部２の形状に合わせた成形面を有する複数の凸部２３Ａが形成されている。一方で、第２の型２４のうち前記凸部２３Ａに対応した位置には、ポケット部２の形状に対応する成形面を有する複数の凹部２４Ａが設けられている。ポケット部２を形成するにあたっては、包装用フィルム３を第１の型２３及び第２の型２４によって挟み込み、前記凸部２３Ａ及び凹部２４Ａの形状に合わせて伸張させることで、包装用フィルム３に複数のポケット部２が形成される。尚、このポケット部２の形成は、間欠的に搬送される包装用フィルム３の搬送動作間のインターバルの際に行われる。
【００５５】
ポケット部２が形成された包装用フィルム３の搬送経路に沿って、ポケット部形成手段２２の下流側には、ポケット部２に錠剤５を自動的に投入する投入手段２５と、外観検査手段２６と、取着手段２７とが配設されている。
【００５６】
投入手段２５は、所定間隔毎にシャッタを開くことで錠剤５を落下させるものであり、このシャッタ開放動作に伴って各ポケット部２に錠剤５が投入される。
【００５７】
外観検査手段２６は、錠剤５が各ポケット部２に確実に充填されているか否か、また錠剤５の欠け、ひび等の外観異常の有無、異物混入の有無等の検査を行うものである。外観検査手段２６は、ポケット部２の開口側からの検査を行う。
【００５８】
取着手段２７は、フィルム受けローラ２８と加熱ローラ２９とを備えており、フィルム受けローラ２８に加熱ローラ２９が圧接可能に構成されている。そして、包装用フィルム３と、ロール状に巻回されたカバーフィルム４の引出し端とが、両ローラ２８，２９間に案内されており、包装用フィルム３及びカバーフィルム４が、両ローラ２８，２９間を加熱圧接状態で通過することにより、容器フィルム３にカバーフィルム４が貼着される。これにより、錠剤５が各ポケット部２に充填された帯状のＰＴＰフィルム８が得られる。
【００５９】
また、ロール状に巻回されたカバーフィルム４と取着手段２７との間には、第２印刷手段３０（例えば、凸版印刷機やフレキソ印刷機、オフセット印刷機、インクジェット印刷機等により構成される）が設けられており、当該第２印刷手段３０により、包装用フィルム３に対する貼着の直前に、カバーフィルム４に裏側サイズ表示部１３が印刷形成される。具体的には、カバーフィルム４のうち、前記ポケット部２を塞ぐ部位の中央のそれぞれに裏側表示部１３が印刷形成される。
【００６０】
尚、本実施形態では、裏側サイズ表示部１３として印刷される、錠剤５をその裏側から視認したときの錠剤５の大きさや形状を示すデータが予め取得されており、当該データに基づいて、第２印刷手段３０の設定が行われる。また、カバーフィルム４に予め設けられたマーク（図示せず）を、所定のセンサー（図示せず）により検知することで、カバーフィルム４のうちポケット部２を塞ぐ部位が検出され、当該部位の中央に対して裏側サイズ表示部１３が印刷形成される。
【００６１】
さらに、取着手段２７の下流側には、ポケット部２側から錠剤５等の異常を検出するための外観検査手段３１（例えば、Ｘ線を利用した検査装置）が設けられている。尚、外観検査手段２６，３１によって不良品判定された場合、図示しない不良シート排出機構に不良品信号が送られ、その不良品判定となったＰＴＰシートは、不良シート排出機構によって別途排出され、図示しない不良品ホッパに移送される。
【００６２】
外観検査手段３１の下流ではＰＴＰフィルム８の搬送経路に沿って、ミシン目形成手段３２と、打抜き手段３３とがこの順序で配設されている。ミシン目形成手段３２は、ＰＴＰフィルム８の所定位置に前記ミシン目６を形成する機能を有する。打抜き手段３３は、ＰＴＰフィルム８をＰＴＰシート１単位に打抜く機能を有する。
【００６３】
さらに、打抜き手段３３の下流側には、打抜き手段３３から落下する端材９を貯留するためのスクラップ用ホッパ３４が設けられている。また、打抜き手段３３の下側には、打抜かれたＰＴＰシート１を移送するためのコンベア３５が設けられており、得られたＰＴＰシート１は完成品用ホッパ３６に移送されるようになっている。
【００６４】
以上詳述したように、本実施形態によれば、ＰＴＰシート１には、錠剤５の大きさに関する情報を表示するサイズ表示部１１が設けられている。従って、ＰＴＰシート１に収容されている錠剤５の大きさ（サイズ）を外部から認識することができる。これにより、ＰＴＰシート１に収容された錠剤５のサイズを正確に想定することができ、想定の誤りによる不都合の発生をより確実に防止することができる。
【００６５】
さらに、サイズ表示部１１が、錠剤５の外観を示す写真により構成されており、サイズ表示部１１において示される錠剤５の大きさは、錠剤５の大きさと同一とされている。従って、錠剤５のサイズを一目で容易に認識することができる。加えて、錠剤に関する知識等に乏しい者であっても、サイズ表示部１１に基づいて、取り出された錠剤と、ＰＴＰシート１に収容されている錠剤５とが一致しているか否かを容易に確認することができる。
【００６６】
加えて、サイズ表示部１１（表側サイズ表示部１２）が包装用フィルム３に設けられているため、ＰＴＰシート１にサイズ表示部１１が存在しないといった事態をより生じにくくすることができ、サイズ表示部１１の機能をより確実に発揮させることができる。
【００６７】
特に本実施形態では、サイズ表示部１１が、包装用フィルム３のうちポケット部２を形成する部位（錠剤５を取り出す際に着目しやすい部位）の中央に設けられている。そのため、錠剤を服用する者等に、サイズ表示部１１の存在をより確実に認識させることができる。また、サイズ表示部１１を目印として、これを押すことで、錠剤５が小さくても、ＰＴＰシート１から錠剤５をより確実に取り出すことができる。
【００６８】
併せて、サイズ表示部１１（裏側サイズ表示部１３）が、カバーフィルム４のうちポケット部２を塞ぐ部位（錠剤５を取り出す際に着目しやすい部位）に設けられているため、錠剤を服用する者等に、サイズ表示部１１の存在をより一層確実に認識させることができる。
【００６９】
また、サイズ表示部１１は、ミシン目６からオフセットした位置（ずれた位置）に設けられている。従って、ＰＴＰシート１をペア小片７に切離したとしても、ペア小片７においてサイズ表示部１１の全体を確認することができる。その結果、サイズ表示部１１の機能をより一層確実に発揮させることができる。
【００７０】
加えて、本実施形態では、ポケット部２形成前の包装用フィルム３に対してサイズ表示部１１（表側サイズ表示部１２）が印刷形成される。従って、ポケット部２が印刷手段に干渉することに伴う、印刷不良の発生を防止することができる。
【００７１】
また、ポケット部２形成後の包装用フィルム３には多少のうねりが生じ得るため、ポケット部形成手段２２の下流に印刷手段を設けた場合には、包装用フィルム３と印刷手段との間の距離が不安定となることが懸念されるが、本実施形態によれば、このような懸念を払拭することができ、良好な印刷品質を実現することができる。
【００７２】
さらに、包装用フィルム３への取着前のカバーフィルム４に対して、サイズ表示部１１（裏側サイズ表示部１３）が印刷形成されるように構成されている。従って、カバーフィルム４に対して、サイズ表示部１１をより確実に、かつ、良好な印刷品質で印刷することができる。
【００７３】
尚、上記実施形態の記載内容に限定されず、例えば次のように実施してもよい。勿論、以下において例示しない他の応用例、変更例も当然可能である。
【００７４】
（ａ）上記実施形態において、サイズ表示部１１は、錠剤の外観を示す写真（絵）が印刷されることで形成されているが、サイズ表示部１１は、錠剤の大きさに関する情報を表示するものであればよく、その構成はこれに限定されるものではない。従って、例えば、図４（ａ），（ｂ）に示すように、錠剤５の長さを表示する線分と、錠剤５の幅を表示する線分とが交差してなる図形や、前記両線分の両端を通る円や楕円等により、サイズ表示部４１，４２を形成することとしてもよい（但し、参考例）。また、この場合には、錠剤５の長さや幅を文字情報にて表示することとしてもよい（但し、参考例）。
【００７５】
さらに、図５（ａ），（ｂ）に示すように、サイズ表示部４３，４４を包装用フィルム３に設けられた凹凸（例えば、錠剤５を投影面に投影した際における、錠剤５の投影領域と同一の大きさの凹又は凸）で形成することとしてもよい（但し、参考例）。この場合には、錠剤を服用する者等に対して、視覚に加えて、触覚でもサイズ表示部４３，４４を認識させることができ、サイズ表示部の機能をより確実に発揮させることができる。
【００７６】
また、サイズ表示部を凹凸で形成する場合には、ポケット部２とともに、サイズ表示部を形成することとしてもよい（但し、参考例）。この場合には、製造装置の簡素化や低コスト化を図ることができる。尚、ポケット部２とともに、凹凸からなるサイズ表示部を形成するにあたっては、例えば、図６に示すように、前記ポケット部形成手段２２の第２の型２４に、サイズ表示部の形状に対応する突出部４５を設けるとともに、前記第１の型２３のうち前記突出部４５に対応する位置に、サイズ表示部の形状に対応する窪み部４６を設け、包装用フィルム３を両型２３，２４により挟み込むことで、包装用フィルム３に、ポケット部２及びサイズ表示部を同時に形成することとしてもよい（但し、参考例）。また、第１の型２３に突出部４５を設け、第２の型２４に窪み部４６を設けることとしてもよい（但し、参考例）。
【００７７】
（ｂ）上記実施形態では、ポケット部２の形成前に、包装用フィルム３にサイズ表示部１１（表側サイズ表示部１２）が印刷形成されているが、ポケット部２の形成後に、包装用フィルム３にサイズ表示部１１を印刷形成することとしてもよい。従って、例えば、包装用フィルム３に対するカバーフィルム４の取着後、包装用フィルム３（ＰＴＰフィルム８）の打抜き前に、包装用フィルム３にサイズ表示部１１を印刷形成することとしてもよい。この場合には、ポケット部２の形成時やカバーフィルム４の取着時におけるサイズ表示部１１の損傷という事態が発生せず、良好な印刷品質を実現することができる。
【００７８】
（ｃ）上記実施形態においては、表側サイズ表示部１２及び裏側サイズ表示部１３が設けられているが、表側サイズ表示部１２及び裏側サイズ表示部１３のうちの一方のみを設けることとしてもよい。
【００７９】
（ｄ）上記実施形態において、サイズ表示部１１（表側サイズ表示部１２）は、包装用フィルム３のうちポケット部２を形成する部位に設けられているが、包装用フィルム３のうちポケット部２を形成する部位以外の部位に設けることとしてもよい。
【００８０】
（ｅ）上記実施形態において、サイズ表示部１１は（裏側サイズ表示部１３）は、カバーフィルム４のうちポケット部２を塞ぐ部位に設けられているが、カバーフィルム４のうちポケット部２を塞ぐ部位以外の部位に設けることとしてもよい。
【符号の説明】
【００８１】
１…ＰＴＰシート、２…ポケット部、３…包装用フィルム、４…カバーフィルム、５…錠剤、６…ミシン目、７…ペア小片（シート小片）、１１，４１，４２，４３，４４…サイズ表示部、１２…表側サイズ表示部、１３…裏側サイズ表示部、２０…ＰＴＰ包装機、２１…第１印刷手段、２２…ポケット部形成手段、２３…第１の型、２３Ａ…凸部、２４…第２の型、２４Ａ…凹部、３０…第２印刷手段、４５…突出部、４６…窪み部。
【図１】
0005535153.tif 000002
【図２】
0005535153.tif 000003
【図３】
0005535153.tif 000004
【図４】
0005535153.tif 000005
【図５】
0005535153.tif 000006
【図６】
0005535153.tif 000007